(57)【要約】【課題】室外機本体の４側面に対向して熱交換器が設けられた上吹き出しタイプの室外機において、内部機器のメンテナンス等の作業性を向上させる。【解決手段】平面形状が四角形の室外機本体５と、この室外機本体５の４つの側面に対向して設けられた熱交換器１３と、前記室外機本体５の上部に設けられ、当該室外機本体５の側面から吸い込んだ空気を上方へ吹き出す送風機２３と、を備え、室外機本体５の平面視における１つの角部５Ａに、少なくとも圧縮機１１を含む機器を配置するための機器配置領域Ｒが設けられ、室外機本体５における前記角部５Ａには、熱交換器１３の一の側端部３２ａと他の側端部３５ａとの間に形成される開口部３６が配置される。【選択図】      図３
2013076517.tif 000002
【特許請求の範囲】
【請求項１】
平面形状が四角形の室外機本体（５）と、この室外機本体（５）の４つの側面に対向して設けられた熱交換器（１３）と、前記室外機本体（５）の上部に設けられ、当該室外機本体（５）の側面から吸い込んだ空気を上方へ吹き出す送風機（２３）と、を備えている空気調和装置の室外機であって、
前記室外機本体（５）の平面視における１つの角部（５Ａ）に、少なくとも圧縮機（１１）を含む機器を配置するための機器配置領域（Ｒ）が設けられ、
前記室外機本体（５）における前記角部（５Ａ）には、前記熱交換器（１３）の一の側端部（３２ａ）と他の側端部（３５ａ）との間に形成される開口部（３６）が配置されていることを特徴とする空気調和装置の室外機。
【請求項２】
前記機器配置領域（Ｒ）が、前記角部（５Ａ）における前記室外機本体（５）の２つの側面と、平面視において一方の前記側面に平行でかつ前記熱交換器（１３）の一の側端部（３２ａ）を通る一の仮想区画線（α１）と、他方の前記側面に平行でかつ前記熱交換器（１３）の他の側端部（３５ａ）を通る他の仮想区画線（α２）と、によって囲まれた平面視で四角形の領域内に設定されている、請求項１に記載の空気調和装置の室外機。
【請求項３】
前記開口部（３６）は、前記機器配置領域（Ｒ）に対して前記圧縮機（１１）を出し入れ可能な開口幅（Ｗ）を有している、請求項１又は２に記載の空気調和装置の室外機。
【請求項４】
前記開口部（３６）は、前記機器配置領域（Ｒ）に配置される電装品ユニット（３８）の幅に適合した開口幅（Ｗ）を有している、請求項３に記載の空気調和装置の室外機。
【請求項５】
前記室外機本体（５）における前記角部（５Ａ）には、当該室外機本体（５）の構造部材である支柱（２７）が立設され、この支柱（２７）と、これに隣接する前記熱交換器の側端部（３２ａ）とによって、前記電装品ユニット（３８）の両側部が支持されている、請求項４に記載の空気調和装置の室外機。
【請求項６】
前記熱交換器（１３）の前記側端部（３２ａ）には、当該側端部（３２ａ）から突出する伝熱管（１３ａ）を覆うためのカバー部材（４７）が設けられ、このカバー部材（４７）に前記電装品ユニット（３８）の一側部が支持されている、請求項５に記載の空気調和装置の室外機。
【請求項７】
前記熱交換器（１３）の一の側端部（３２ａ）と他の側端部（３５ａ）との間に区画壁（４０）が架設され、この区画壁（４０）によって、前記機器配置領域（Ｒ）に設けられる機械室（３９）と、前記熱交換器（１３）が配置される熱交換室（４１）とが水平方向に区画され、前記熱交換室（４１）が、前記室外機本体（５）の下部から上部にわたる範囲で形成されている、請求項１〜６のいずれかに記載の空気調和装置の室外機。
【発明の詳細な説明】
【技術分野】
【０００１】
本発明は、空気調和装置の室外機に関する。
【背景技術】
【０００２】
下記特許文献１には、平面形状が四角形の室外機本体の４つの側面に対向して熱交換器が設けられ、室外機本体の上部に設けた送風ファンを作動させることによって、室外機本体の４つの側面から吸引した空気を室外機本体の上面から吹き出すようにした上吹き出しタイプの室外機が開示されている。また、この種の室外機においては、通常、室外機本体の底フレームの略中央部に圧縮機等の内部機器が配置されている。
【０００３】
一方、下記特許文献２にも、特許文献１と同様に、室外機本体の４つの側面に対向して熱交換器が配置された室外機が開示されている。この室外機は、室外機本体の上部に熱交換器を配置した熱交換室が設けられ、室外機本体の下部に圧縮機や電装品等を配置した機械室が設けられ、熱交換室と機械室とが区画壁によって上下に区画されている。
【先行技術文献】
【特許文献】
【０００４】
【特許文献１】実公昭６０−１８７６７号公報
【特許文献２】特開２００５−９８６２５号公報
【発明の概要】
【発明が解決しようとする課題】
【０００５】
特許文献１の室外機は、底フレーム上に配置された圧縮機等の機器の周囲全体が熱交換器に囲まれているので、当該機器のメンテナンスや交換が困難であった。また、特許文献１の室外機には、室外機本体の一つの角部であって、熱交換器の一の側端部と他の側端部との間に開口部が形成されているが、この開口部は配管の接続スペースであるために僅かな開口幅しかなく、底フレーム上の機器のメンテナンスや交換に利用することは実質的に不可能であった。
【０００６】
一方、特許文献２の室外機は、熱交換室と機械室とが区画壁によって区画されているので、特許文献１の室外機に比べて内部機器に対するメンテナンス等の作業性を向上させることが可能である。しかし、機械室は室外機本体の下部側に配置されているので、メンテナンス等の作業を低い姿勢で行わなければならず、この点で、作業性の向上には限界がある。
【０００７】
本発明は、上記の実情に鑑みてなされたものであり、室外機本体の４つの側面に対向して熱交換器が設けられた上吹き出しタイプの室外機において、内部機器のメンテナンス等の作業性を向上させた室外機を提供することを主たる目的とする。
【課題を解決するための手段】
【０００８】
（１）平面形状が四角形の室外機本体と、この室外機本体の４つの側面に対向して設けられた熱交換器と、前記室外機本体の上部に設けられ、当該室外機本体内の側面から吸い込んだ空気を上方へ吹き出す送風機と、を備えている空気調和装置の室外機であって、
前記室外機本体の平面視における１つの角部に、少なくとも圧縮機を含む機器を配置するための機器配置領域が設けられ、
前記室外機本体の前記角部には、前記熱交換器における一の側端部と他の側端部との間に形成された開口部が配置されていることを特徴とする。
【０００９】
この構成によれば、室外機本体の１つの角部に機器配置領域が設けられているので、室外機本体の外部から機器配置領域に配置された機器までの距離が近くなり、当該角部に配置された開口部を介して機器配置領域の機器に対するメンテナンス等の作業を容易に行うことができる。
【００１０】
（２）前記機器配置領域は、前記角部における前記室外機本体の２つの側面と、平面視において一方の前記側面に平行でかつ前記熱交換器の一の側端部を通る一の仮想区画線と、他方の前記側面に平行でかつ前記熱交換器の他の側端部を通る他の仮想区画線と、によって囲まれた平面視で四角形の領域内に設定されていることが好ましい。
このような構成によって、室外機本体の内部に十分に広い機器配置領域を設定することができる。
【００１１】
（３）前記開口部は、前記機器配置領域に対して前記圧縮機を出し入れ可能な開口幅を有していることが好ましい。
このような構成によって、開口部を介して圧縮機のメンテナンス作業や交換作業を容易に行うことができる。
【００１２】
（４）前記開口部は、前記機器配置領域に配置される電装品ユニットの幅に適合した開口幅を有していることが好ましい。
このような構成によって、開口部に合わせて電装品ユニットを取り付けることができ、電装品ユニットに対する操作性等を向上させることができる。
【００１３】
（５）前記室外機本体における前記角部には、当該室外機本体の構造部材である支柱が立設され、この支柱と、これに隣接する前記熱交換器の側端部とによって、前記電装品ユニットの両側部が支持されていることが好ましい。
このような構成によって、支柱と熱交換器の側端部とを利用して電装品ユニットを取り付けることができる。
【００１４】
（６）前記熱交換器の前記側端部には、当該側端部から突出する伝熱管を覆うためのカバー部材が設けられ、このカバー部材に前記電装品ユニットの一側部が支持されていることが好ましい。
このようなカバー部材を備えることによって、伝熱管において発生した結露水が電装品ユニットに触れてしまうのを防止することができる。
【００１５】
（７）前記熱交換器の一の側端部と他の側端部との間に区画壁が架設され、この区画壁によって、前記機器配置領域内に設けられる機械室と、前記熱交換器が配置される熱交換室とが水平方向に区画され、前記熱交換室が、前記室外機本体の下部から上部にわたる範囲で形成されていることが好ましい。
【００１６】
この構成によれば、室外機本体の下部から上部にわたる広い範囲で熱交換室が形成されるので、熱交換器の空気の流通面積を十分に確保することができる。したがって、熱交換器の空気の流通面積を確保するために室外機の前後方向又は左右方向の幅を拡大する必要がなく、室外機のコンパクト化を図ることができ、小さいスペースであっても室外機を設置することが可能となる。また、機械室についても室外機本体の上下方向にわたる広い範囲に形成することができるので、操作やメンテナンスの頻度の高い機器を機械室の上部側に配置することで、これらの作業性を高めることができる。また、室外機本体の内部は区画壁によって熱交換室と機械室とに区画されるので、機械室内の機器が熱交換室内の空気の流れを乱すことが無く、空気の流れを制御し易くすることができる。
【発明の効果】
【００１７】
本発明によれば、室外機本体の４つの側面に対向して熱交換器が設けられた上吹き出しタイプの室外機において、内部機器のメンテナンス等の作業性を向上させることができる。
【図面の簡単な説明】
【００１８】
【図１】本発明の実施の形態に係る室外機を有する空気調和装置の冷媒回路を示す模式図である。
【図２】室外機の外観を示す斜視図である。
【図３】室外機の内部の平面図である。
【図４】室外機の側面パネル及びベルマウスを取り外した状態を示す概略的な斜視図である。
【図５】室外機の区画壁を熱交換室側から見た斜視図である。
【図６】室外機の区画壁を示す平面図である。
【発明を実施するための形態】
【００１９】
図１は、本発明の実施の形態に係る室外機を有する空気調和装置の冷媒回路を示す模式図である。
空気調和装置１は、例えばビル用のマルチタイプの空気調和装置であり、１つ又は複数の室外機２に対して複数の室内機３が並列に接続され、冷媒が流通できるように、冷媒回路１０が形成されている。
【００２０】
室外機２には、圧縮機１１、四路切換弁１２、室外熱交換器１３、室外膨張弁１４、及び送風機２３等が設けられている。また、室内機３には、室内膨張弁１５および室内熱交換器１６等が設けられている。四路切換弁１２と室内熱交換器１６とはガス側冷媒連絡配管１７ａにより接続され、室外膨張弁１４と室内膨張弁１５とは液側冷媒連絡配管１７ｂにより接続されている。室外機２の内部冷媒回路の端末部には、ガス側閉鎖弁１８と液側閉鎖弁１９とが設けられている。ガス側閉鎖弁１８は四路切換弁１２側に配置されており、液側閉鎖弁１９は室外膨張弁１４側に配置されている。ガス側閉鎖弁１８にはガス側冷媒連絡配管１７ａが接続され、液側閉鎖弁１９には液側冷媒連絡配管１７ｂが接続される。
【００２１】
上記構成の空気調和装置１において、冷房運転を行う場合には、四路切換弁１２が図１において実線で示す状態に保持される。圧縮機１１から吐出された高温高圧のガス状冷媒は、四路切換弁１２を介して室外熱交換器１３に流入し、送風機２３の作動により室外空気と熱交換して凝縮・液化する。液化した冷媒は、全開状態の室外膨張弁１４を通過し、液側冷媒連絡配管１７ｂを通って各室内機３に流入する。室内機３において、冷媒は、室内膨張弁１５で所定の低圧に減圧され、さらに室内熱交換器１６で室内空気と熱交換して蒸発する。そして、冷媒の蒸発によって冷却された室内空気は、図示しない室内ファンによって室内に吹き出され、当該室内を冷房する。また、室内熱交換器１６で蒸発して気化した冷媒は、ガス側冷媒連絡配管１７ａを通って室外機２に戻り、圧縮機１１に吸い込まれる。
【００２２】
他方、暖房運転を行う場合には、四路切換弁１２が図１において破線で示す状態に保持される。圧縮機１１から吐出された高温高圧のガス状冷媒は、四路切換弁１２を介して各室内機３の室内熱交換器１６に流入し、室内空気と熱交換して凝縮・液化する。冷媒の凝縮によって加熱された室内空気は、室内ファンによって室内に吹き出され、当該室内を暖房する。室内熱交換器１６において液化した冷媒は、全開状態の室内膨張弁１５から液側冷媒連絡配管１７ｂを通って室外機２に戻る。室外機２に戻った冷媒は、室外膨張弁１４で所定の低圧に減圧され、さらに室外熱交換器１３で室外空気と熱交換して蒸発する。そして、室外熱交換器１３で蒸発して気化した冷媒は、四路切換弁１２を介して圧縮機１１に吸い込まれる。
【００２３】
図２は、室外機２の外観を示す斜視図、図３は、室外機２の内部の平面図、図４は、室外機２の側面パネル２９及びベルマウス３０を取り外した状態を示す斜視図である。本実施の形態の室外機２は、室外機本体（ケーシング）５と、この室外機本体５に内蔵された室外熱交換器１３、圧縮機１１、四路切換弁１２等の冷媒回路１０（図１参照）を構成する機器と、室外機本体５の上部に設けられた送風機２３等を備えている。
【００２４】
室外機本体５は、略直方体形状に形成されており、底フレーム２６、支柱２７、横梁２８、側面パネル２９等を有している。底フレーム２６は、図３に示されるように平面視で四角形状に形成されている。また、本実施の形態の底フレーム２６の対向する２辺には、地面に接地する脚部２６ａ（図２参照）が設けられている。支柱２７は、断面形状が略Ｌ字状で上下方向に長い長尺部材からなり、底フレーム２６の４隅に取り付けられている。また、図４に示されるように、前部側の２本の支柱２７の上端部と、後部側の２本の支柱２７の上端部は、それぞれ横梁２８により連結されている。この支柱２７の上端部及び横梁２８には、送風機２３を取り囲むベルマウス３０（図２参照）が取り付けられている。ベルマウス３０は、平面視で底フレーム２６と略同一の四角形状に形成されている。また、前後の横梁２８には一対の支持部材３７からなる支持台３１が架設されており、この支持台３１に送風機２３のモータ２３ａにおける脚部２３ｂが取り付けられている。
【００２５】
室外熱交換器１３は、クロスフィンコイル式であり、アルミニウム製の多数のフィンを伝熱管が水平に貫通し、伝熱管を流れる冷媒と室外熱交換器１３を流通する空気との間で熱交換を行うように構成されている。室外熱交換器１３は、図３に示されるように、室外機本体５の１つの角部５Ａを除いた範囲で４つの側面に対向（対応）し、かつ４つの側面に沿って略四角形状に屈曲されている。具体的に、室外熱交換器１３は、室外機本体５の前側の側面（前面）に沿う前熱交換部３２と、左側の側面に沿う左熱交換部３３と、後側の側面（後面）に沿う後熱交換部３４と、右側の側面に沿う右熱交換部３５とを有している。そして、前熱交換部３２と左熱交換部３３との間、左熱交換部３３と後熱交換部３４との間、及び後熱交換部３４と右熱交換部３５との間が略９０度に屈曲されている。なお、室外熱交換器１３の各熱交換部３２〜３５は、室外機本体５の側面に対して必ずしも平行に対向していなくてもよく、傾斜した状態で対向していてもよい。また、本明細書において、室外機本体５の側面とは、外部に向いた実体的な側面、例えば、後述する側面パネル２９や室外熱交換器１３の外側面を覆う格子状の枠やパネルによって規定されるものであってもよいし、このような側面パネル２９等を備えていない場合には、底フレーム２６の４辺をそのまま上方に延長した仮想の面によって規定されてもよい。
【００２６】
前熱交換部３２の右側端部（室外熱交換器１３における一の側端部）３２ａと、右熱交換部３５の前側端部（同他の側端部）３５ａとの間には、開口部３６が設けられている。本実施の形態では、開口部３６が、右前側に配置された支柱２７によって２つに分けられており、以下の説明においては、室外機２の前面に配置された開口部３６を前開口部３６Ａといい、右側面に配置された開口部３６を右開口部３６Ｂという。
【００２７】
また、室外機本体５は、室外熱交換器１３の一の側端部３２ａと支柱２７との間、及びこの支柱２７と室外熱交換器１３の他の側端部３５ａとの間に、それぞれ側面パネル２９を着脱可能に備えており、この側面パネル２９によって前開口部３６Ａ及び右開口部３６Ｂがそれぞれ閉鎖されている。なお、図示はしていないが、室外機本体５の側面における室外熱交換器１３が配置された部分には、空気の流通が可能な格子状の枠やパネルが取り付けられていてもよい。
【００２８】
室外熱交換器１３が配置されていない室外機本体５の１つの角部５Ａには、圧縮機１１や四路切換弁１２、閉鎖弁１８，１９、電装品ユニット３８等の機器を配置するための機器配置領域Ｒが設定されている。機器配置領域Ｒは、室外熱交換器１３における前熱交換部３２の右側端部３２ａから後方に延びる仮想区画線α１と、右熱交換部３５の前側端部３５ａから左方向へ延びる仮想区画線α２と、角部５Ａに配置された室外機本体５の２側面（２枚の側面パネル２９）とによって囲まれた平面視四角形の範囲に設定されている。そして、この機器配置領域Ｒには、区画壁４０によって熱交換室４１と水平方向に区画された機械室３９が設けられている。
【００２９】
機械室３９内において、圧縮機１１は底フレーム２６上にボルト等によって固定されている。また、閉鎖弁１８，１９は、右前側の支柱２７に取り付けられた支持部材４５によって支持されている。電装品ユニット３８は、室外機２全体の制御基板や圧縮機１１の制御基板（インバータ基板）等を含んでいる。なお、図４には、機械室３９内の機器のうち、圧縮機１１，支持部材４５、及び電装品ユニット３８のみを示し、他を省略している。
【００３０】
区画壁４０は、室外熱交換器１３の一の側端部３２ａと他の側端部３５ａとの間に架設され、室外機本体５の上下方向の高さにわたって設けられている。具体的には、区画壁４０は、室外熱交換器１３における前熱交換部３２の右側端部３２ａから後方へ延びる側壁部４０ａと、室外熱交換器１３における右熱交換部３５の前側端部３５ａから左方向へ延びる後壁部４０ｂとを有している。また、後壁部４０ｂは、側壁部４０ａとの接続部においてやや前方へ傾斜した部分（傾斜壁部）４０ｃを有している。また、区画壁４０の上端部には上壁部４０ｄ（図５参照）が設けられており、この上壁部４０ｄによって室外機本体５の上部から機械室３９内への雨等の浸入が防止されている。
【００３１】
図３に示されるように、室外熱交換器１３の一の側端部３２ａと支柱２７との間に形成された前開口部３６Ａは、所定の幅Ｗを有している。具体的に、この前開口部３６Ａの幅Ｗは、機械室３９内に配置された機器、特に圧縮機１１の幅よりも大きく形成されている。したがって、前開口部３６Ａを閉鎖している側面パネル２９を取り外すことによって、機械室３９に対して前開口部３６Ａから圧縮機１１を出し入れすることが可能である。そのため、圧縮機１１の交換やメンテナンスを容易に行うことができる。さらに、機械室３９は、室外機本体５の１つの角部５Ａに設けられているので、室外機本体５の外部から機械室３９内の機器への距離が近くなり、機械室３９内の機器に対するメンテナンスを容易に行うことができる。
【００３２】
図３及び図４に示されるように、閉鎖弁１８，１９を支持する支持部材４５は、略長方形の板材から形成されており、その水平方向の一側部が支柱２７に対して片持ち状に取り付けられている。そのため支持部材４５の下方には空間が形成され、この空間を利用して機械室３９内の機器に対するメンテナンス等の作業を行うことが可能となる。また、図３に示されるように、支持部材４５は、前開口部３６Ａが形成された室外機本体５の前面に対して斜め（約４５°）に傾斜して配置されている。そのため、支持部材４５を前面側から見たときの左右方向の幅を可及的に小さくすることができ、支持部材４５が前開口部３６Ａを介して行われるメンテナンス等の作業の邪魔になるのを防止することができる。
【００３３】
前開口部３６Ａの幅Ｗは、室外機２の制御基盤等を含む電装品ユニット３８の幅に適合する幅に形成されており、この前開口部３６Ａに合わせて電装品ユニット３８が取り付けられている。具体的には、前開口部３６Ａの両側縁に位置する室外熱交換器１３の一の側端部３２ａと支柱２７とに電装品ユニット３８の幅方向両端部が取付ブラケット４６を介して取り付けられている。したがって、室外熱交換器１３の側端部３２ａと支柱２７とを利用して電装品ユニット３８を好適に機械室３９に取り付けることができる。
【００３４】
機械室３９は、室外機本体５の上下方向にわたる広い範囲で設けられている。したがって、例えば電装品ユニット３８のように操作やメンテナンスの頻度の高い機器を機械室３９の比較的高い位置に配置することによって、操作性やメンテナンス性を向上させることができる。
【００３５】
なお、上記においては前開口部３６Ａの幅Ｗが圧縮機１１を出し入れ可能な寸法に形成され、電装品ユニット３８が前開口部３６Ａに合わせて取り付けられているが、右開口部３６Ｂの幅が圧縮機１１を出し入れ可能な寸法に形成され、電装品ユニット３８が右開口部３６Ｂに合わせて取り付けられていてもよい。また、機械室３９内の機器の操作やメンテナンスは、右開口部３６Ｂを介して行うこともできる。
【００３６】
室外熱交換器１３の一の側端部３２ａには、Ｕ字状に湾曲する伝熱管１３ａが突出している。そして、室外熱交換器１３の側端部３２ａには、この伝熱管１３ａを覆うカバー部材４７が設けられている。カバー部材４７は、伝熱管１３ａを前後及び側方から取り囲むように断面コの字形状に形成されている。また、カバー部材４７は、室外熱交換器１３の上下方向の高さ全体にわたって設けられており、その下端部が底フレーム２６に固定され、上端部が前部側の横梁２８に固定されている。そして、カバー部材４７は、室外熱交換器１３から突出する伝熱管１３ａを覆うことで、この伝熱管１３ａにおいて発生した結露水等の水分が機械室３９内の部品に付着するのを防止している。
【００３７】
特に、本実施の形態においては、電装品ユニット３８の幅方向一側部がカバー部材４７の外面に取り付けられており、これによって伝熱管１３ａにおいて発生した結露水等の水分が電装品ユニット３８に付着するのを好適に防止することができる。また、カバー部材４７は、室外機本体５の上下方向にわたって設けられることによって室外機本体５の支柱としても機能しており、４本の支柱２７とともに室外機本体５の構造部材を構成し、室外機本体５の強度を高めている。
【００３８】
本実施の形態の室外機２は、図２に示されるように、送風機２３を作動させることによって室外機本体５の側面パネル２９を除く４つの側面から空気を吸い込み、室外熱交換器１３を通過させた後に当該空気を室外機本体５の上面から上方へ吹き出すように構成されている。区画壁４０（図３）によって区画された熱交換室４１は、室外機本体５の上下方向の高さ全体にわたって形成されているため、室外熱交換器１３における空気の流通面積を広く確保することができ、熱交換効率を高めることが可能となっている。したがって、室外熱交換器１３における空気の流通面積を確保するために、室外機本体５の前後方向又は左右方向の幅を大きくしなくてもよく、室外機２のコンパクト化が可能となる。
【００３９】
また、熱交換室４１が区画壁４０によって区画されているので、機械室３９内の機器によって空気の流れが乱されることがなく、空気の流れの制御を容易に行うことができるとともに、風切り音等の騒音を低減することができる。また、区画壁４０の両端部は、室外熱交換器１３の側端部３２ａ，３５ａに密着された状態（シールされた状態）で連結されている。具体的に、区画壁４０の一端部はカバー部材４７に密着した状態で連結され、他端部は、室外熱交換器１３の他の側端部３５ａにおける管板３５ａ１に密着した状態で連結されている。
【００４０】
そのため、室外熱交換器１３の側面から熱交換室４１の内部に流入した空気が機械室３９側へ漏れてしまうことはほとんどなく、しかも外気が室外熱交換器１３を通過せずに、機械室３９側から熱交換室４１に入り込んでしまうこともほとんどない。したがって、室外熱交換器１３における熱交換効率を高めることができる。また、熱交換室４１で発生した結露水等の水分が機械室３９内に浸入し難くなるので、機械室３９内には電装品箱に収容しない状態で電装品ユニット３８を配置することが可能となる。そのため、部品点数減やコストダウンを図ることができると共に、電装品箱に収容する場合に比べて電装品ユニット３８の放熱性を高めることができる。
【００４１】
図５は、室外機２の区画壁４０を熱交換室４１側から見た斜視図、図６は、室外機２の区画壁４０を示す平面図である。
本実施の形態の室外機本体５は、熱交換室４１の平面範囲の上部側ほど広く、これに相対して機械室３９の平面範囲が室外機本体５の上部側ほど狭くなるように、区画壁４０が形成されている。具体的に、区画壁４０の上部には、熱交換室４１側から機械室３９側へ凹む凹部４２が形成されている。この凹部４２は、区画壁４０における側壁部４０ａから折曲する第１傾斜面４２ａと、後壁部４０ｂから折曲する第２傾斜面４２ｂと、第１傾斜面４２ａ及び第２傾斜面４２ｂの間に設けられ、傾斜壁部４０ｃの上部から折曲する第３傾斜面４２ｃとからなる３つの傾斜面（傾斜部）によって構成されている。これらの傾斜面４２ａ〜４２ｃの上端縁は、上壁部４０ｄに連なっており、上壁部４０ｄは平面視で略Ｌ字形状に形成されている。
【００４２】
このように区画壁４０の上部に凹部４２が形成されることによって、室外機本体５の上部側における熱交換室４１の平面範囲が拡大されており、送風機２３によって室外機本体５から上方へ吹き出される直前の空気の流通路を十分に確保し、通風抵抗を小さくしてスムーズに空気を吹き出すことを可能にしている。また、図６に示されるように、凹部４２は、送風機２３の羽根の移動軌跡Ｋの下方に重複する範囲で形成されており、これによって、送風機２３の全体を空気の流通のために適切に機能させることができる。なお、凹部４２を構成する３つの傾斜面４２ａ〜４２ｃは、滑らかに連続する円弧面等の曲面により構成することができ、このように構成することによって通風抵抗をより低減することができる。また、凹部４２の各傾斜面４２ａ〜４２ｃと上壁部４０ｄとの境界部についても滑らかな曲面で形成することができる。
【００４３】
本実施の形態の室外機本体５は、機械室３９が室外機本体５の角部５Ａに設けられているので、機械室３９を覆うために２枚の側面パネル２９を備えればよい。そのため、従来技術（特許文献１）のように機械室の全周を覆う４枚の側面パネルを必要とせず、部品点数を少なくし、製造コストを低減することができる。
【００４４】
本発明は、上記各実施の形態に限定されるものではなく、特許請求の範囲に記載された発明の範囲内において、適宜変更することが可能である。
例えば、上記実施の形態の室外機２は、１台の圧縮機１１を備えていたが、２台以上の圧縮機１１を備えていてもよい。この場合においても、前開口部３６Ａの開口幅Ｗは、１台の圧縮機１１を出し入れ可能な幅とし、複数台の圧縮機１１を前開口部３６Ａから１台ずつ順番に出し入れできるように構成することができる。
【００４５】
室外機本体５の機械室３９内には、室外熱交換器１３を除き冷媒回路１０を構成する全ての室外機２側の機器が配置されていてもよいが、少なくとも水との接触が問題となる機器、例えば、電力が供給される圧縮機１１、電装品ユニット３８、電動弁（四路切換弁１２や膨張弁１４）等の機器のみが配置され、その他の機器は熱交換室４１内に配置されていてもよい。
また、本発明においては、熱交換室４１と機械室３９とを区画する区画壁４０を省略することができる。
【符号の説明】
【００４６】
１  空気調和装置
２  室外機
５  室外機本体
１１  圧縮機
１３  室外熱交換器
２３  送風機
３２ａ  熱交換器の一の側端部
３５ａ  熱交換器の他の側端部
３９  機械室
４０  区画壁
４１  熱交換室
【図１】
2013076517.tif 000003
【図２】
2013076517.tif 000004
【図３】
2013076517.tif 000005
【図４】
2013076517.tif 000006
【図５】
2013076517.tif 000007
【図６】
2013076517.tif 000008